(57)【要約】【課題】  携帯機器の利用者の印刷ジョブを画像形成装置の滞留ジョブの前に容易に割り込ませることができる画像形成システム、ジョブ割り込み用プログラムおよび携帯機器を提供する。【解決手段】  画像形成システムの携帯機器４０は、ＭＦＰ２０の滞留ジョブの情報を取得し（Ｓ１３５）、撮像部による撮影画像に、Ｓ１３５において取得されたＭＦＰ２０の滞留ジョブの情報を、この撮影画像上のＭＦＰ２０の位置に対応付けて合成した合成画像を表示部に表示させ（Ｓ１３６）、滞留ジョブの所有者への連絡を合成画像に対する指示に応じて実行し（Ｓ１３７）、携帯機器４０自身からの印刷ジョブを滞留ジョブの前に割り込ませることを要求する（Ｓ１３９）ことを特徴とする。【選択図】  図９
2014215951.tif 000002
【特許請求の範囲】
【請求項１】
画像形成装置と、
撮像デバイスおよび表示デバイスを備えて前記画像形成装置に対する印刷ジョブを送信する携帯機器とを備える画像形成システムであって、
前記携帯機器は、
前記画像形成装置に滞留している印刷ジョブである滞留ジョブの情報を取得する滞留ジョブ情報取得手段と、
前記撮像デバイスによる撮影画像に、前記滞留ジョブ情報取得手段によって取得された前記画像形成装置の前記滞留ジョブの情報を、この撮影画像上のこの画像形成装置の位置に対応付けて合成した合成画像を前記表示デバイスに表示させる表示制御手段と、
携帯機器自身からの印刷ジョブを前記滞留ジョブの前に割り込ませることを要求する割込要求手段とを備え、
前記画像形成システムは、前記滞留ジョブの所有者への連絡を前記合成画像に対する指示に応じて実行する連絡手段を備えることを特徴とする画像形成システム。
【請求項２】
前記連絡手段は、前記携帯機器からの印刷ジョブを前記滞留ジョブの前に割り込ませることが前記合成画像に対する指示に応じて前記割込要求手段によって要求された場合に前記連絡を実行し、
前記画像形成システムは、前記携帯機器からの印刷ジョブを前記滞留ジョブの前に割り込ませることの許可が前記連絡手段によって受信された場合に、この印刷ジョブをこの滞留ジョブの前に割り込ませることを前記画像形成装置に自動で要求する割込自動要求手段を備えることを特徴とする請求項１に記載の画像形成システム。
【請求項３】
前記割込自動要求手段は、前記携帯機器からの印刷ジョブを前記滞留ジョブの前に割り込ませることの許可が前記画像形成装置の複数の前記滞留ジョブに対して前記連絡手段によって受信された場合に、この複数の前記滞留ジョブのうち何れかの滞留ジョブの後に、この印刷ジョブを前に割り込ませることの許可が前記連絡手段によって受信されていない滞留ジョブが存在するとき、前記画像形成装置の全ての前記滞留ジョブのうち、この印刷ジョブを前に割り込ませることの許可が前記連絡手段によって受信されていない最後の滞留ジョブの後に、この印刷ジョブを割り込ませることを要求することを特徴とする請求項２に記載の画像形成システム。
【請求項４】
撮像デバイスおよび表示デバイスを備えて画像形成装置に対する印刷ジョブを送信する携帯機器によって実行されるジョブ割り込み用プログラムであって、
前記画像形成装置に滞留している印刷ジョブである滞留ジョブの情報を取得する滞留ジョブ情報取得手段、
前記撮像デバイスによる撮影画像に、前記滞留ジョブ情報取得手段によって取得された前記画像形成装置の前記滞留ジョブの情報を、この撮影画像上のこの画像形成装置の位置に対応付けて合成した合成画像を前記表示デバイスに表示させる表示制御手段、
携帯機器自身からの印刷ジョブを前記滞留ジョブの前に割り込ませることを要求する割込要求手段、および、
前記滞留ジョブの所有者への連絡を前記合成画像に対する指示に応じて実行する連絡手段として前記携帯機器を機能させることを特徴とするジョブ割り込み用プログラム。
【請求項５】
画像形成装置に対する印刷ジョブを送信する携帯機器であって、
撮像デバイスと、
表示デバイスと、
前記画像形成装置に滞留している印刷ジョブである滞留ジョブの情報を取得する滞留ジョブ情報取得手段と、
前記撮像デバイスによる撮影画像に、前記滞留ジョブ情報取得手段によって取得された前記画像形成装置の前記滞留ジョブの情報を、この撮影画像上のこの画像形成装置の位置に対応付けて合成した合成画像を前記表示デバイスに表示させる表示制御手段と、
携帯機器自身からの印刷ジョブを前記滞留ジョブの前に割り込ませることを要求する割込要求手段と、
前記滞留ジョブの所有者への連絡を前記合成画像に対する指示に応じて実行する連絡手段とを備えることを特徴とする携帯機器。
【発明の詳細な説明】
【技術分野】
【０００１】
本発明は、撮像デバイスによる撮影画像に付加情報を合成した合成画像を表示デバイスに表示させるＡＲ（Ａｕｇｍｅｎｔｅｄ  Ｒｅａｌｉｔｙ）技術を実現する画像形成システム、ジョブ割り込み用プログラムおよび携帯機器に関する。
【背景技術】
【０００２】
従来、撮像デバイスによる撮影画像に付加情報を合成した合成画像を表示デバイスに表示させるＡＲ技術を実現する携帯機器として、撮像デバイスによる撮影画像に、画像形成装置に滞留している印刷ジョブである滞留ジョブの数や滞留ジョブの所有者など、滞留ジョブの情報を、この撮影画像上のこの画像形成装置の位置に対応付けて合成した合成画像を表示デバイスに表示させるものが知られている（特許文献１参照。）。
【先行技術文献】
【特許文献】
【０００３】
【特許文献１】特開２０１２−９００７７号公報
【発明の概要】
【発明が解決しようとする課題】
【０００４】
例えば、携帯機器の利用者が参加する予定の会議の時間が迫っていてこの利用者がこの会議に持参する予定の資料が直ちに画像形成装置によって印刷されることをこの利用者が希望する場合など、携帯機器の利用者が自身の印刷ジョブを画像形成装置の滞留ジョブの前に割り込ませることを希望する場合に、従来の携帯機器においては、画像形成装置に滞留ジョブが存在するか否かということや、画像形成装置の滞留ジョブの所有者が誰かということを携帯機器の利用者に認識させることができる。
【０００５】
ここで、携帯機器の利用者は、自身の印刷ジョブを画像形成装置の滞留ジョブの前に割り込ませることを希望する場合、マナーとして、自身の印刷ジョブを滞留ジョブの前に割り込ませることの許可を滞留ジョブの所有者から取得する必要がある。
【０００６】
しかしながら、特許文献１に記載されている携帯機器の利用者は、自身の印刷ジョブを滞留ジョブの前に割り込ませることの許可を滞留ジョブの所有者から取得するために、この滞留ジョブの所有者の所在を探し出す必要がある。したがって、特許文献１に記載されている携帯機器は、利用者の印刷ジョブを画像形成装置の滞留ジョブの前に割り込ませることが困難であるという問題がある。特に、特許文献１に記載されている携帯機器は、利用者が自身の印刷ジョブを直ちに画像形成装置に印刷させることを希望する場合など、利用者が画像形成装置の滞留ジョブの所有者の所在を探し出すための十分な時間を保有していない場合には、利用者の印刷ジョブを画像形成装置の滞留ジョブの前に割り込ませることが非常に困難である。
【０００７】
そこで、本発明は、携帯機器の利用者の印刷ジョブを画像形成装置の滞留ジョブの前に容易に割り込ませることができる画像形成システム、ジョブ割り込み用プログラムおよび携帯機器を提供することを目的とする。
【課題を解決するための手段】
【０００８】
本発明の画像形成システムは、画像形成装置と、撮像デバイスおよび表示デバイスを備えて前記画像形成装置に対する印刷ジョブを送信する携帯機器とを備える画像形成システムであって、前記携帯機器は、前記画像形成装置に滞留している印刷ジョブである滞留ジョブの情報を取得する滞留ジョブ情報取得手段と、前記撮像デバイスによる撮影画像に、前記滞留ジョブ情報取得手段によって取得された前記画像形成装置の前記滞留ジョブの情報を、この撮影画像上のこの画像形成装置の位置に対応付けて合成した合成画像を前記表示デバイスに表示させる表示制御手段と、携帯機器自身からの印刷ジョブを前記滞留ジョブの前に割り込ませることを要求する割込要求手段とを備え、前記画像形成システムは、前記滞留ジョブの所有者への連絡を前記合成画像に対する指示に応じて実行する連絡手段を備えることを特徴とする。
【０００９】
この構成により、本発明の画像形成システムは、携帯機器の表示デバイスに表示されている合成画像に対する指示に応じて画像形成装置の滞留ジョブの所有者への連絡を実行するので、滞留ジョブの所有者への連絡を容易に実行することができ、結果として、携帯機器の利用者の印刷ジョブを滞留ジョブの前に割り込ませることの許可を滞留ジョブの所有者から取得する作業を容易化することができる。したがって、本発明の画像形成システムは、携帯機器の利用者の印刷ジョブを画像形成装置の滞留ジョブの前に容易に割り込ませることができる。
【００１０】
また、本発明の画像形成システムにおいて、前記連絡手段は、前記携帯機器からの印刷ジョブを前記滞留ジョブの前に割り込ませることが前記合成画像に対する指示に応じて前記割込要求手段によって要求された場合に前記連絡を実行し、前記画像形成システムは、前記携帯機器からの印刷ジョブを前記滞留ジョブの前に割り込ませることの許可が前記連絡手段によって受信された場合に、この印刷ジョブをこの滞留ジョブの前に割り込ませることを前記画像形成装置に自動で要求する割込自動要求手段を備えても良い。
【００１１】
この構成により、本発明の画像形成システムは、携帯機器の利用者の印刷ジョブを画像形成装置の滞留ジョブの前に割り込ませることの許可が受信された場合に、この印刷ジョブをこの滞留ジョブの前に自動的に割り込ませるので、携帯機器の利用者の印刷ジョブを画像形成装置の滞留ジョブの前に容易に割り込ませることができる。
【００１２】
また、本発明の画像形成システムにおいて、前記割込自動要求手段は、前記携帯機器からの印刷ジョブを前記滞留ジョブの前に割り込ませることの許可が前記画像形成装置の複数の前記滞留ジョブに対して前記連絡手段によって受信された場合に、この複数の前記滞留ジョブのうち何れかの滞留ジョブの後に、この印刷ジョブを前に割り込ませることの許可が前記連絡手段によって受信されていない滞留ジョブが存在するとき、前記画像形成装置の全ての前記滞留ジョブのうち、この印刷ジョブを前に割り込ませることの許可が前記連絡手段によって受信されていない最後の滞留ジョブの後に、この印刷ジョブを割り込ませることを要求しても良い。
【００１３】
この構成により、本発明の画像形成システムは、携帯機器の利用者の印刷ジョブを画像形成装置の滞留ジョブの前に割り込ませることの許可が画像形成装置の複数の滞留ジョブに対して受信された場合に、この複数の滞留ジョブのうち何れかの滞留ジョブの後に、この印刷ジョブを前に割り込ませることの許可が受信されていない滞留ジョブが存在するとき、画像形成装置の全ての滞留ジョブのうち、この印刷ジョブを前に割り込ませることの許可が受信されていない最後の滞留ジョブの後に、この印刷ジョブを割り込ませるので、携帯機器の利用者の印刷ジョブを画像形成装置の複数の滞留ジョブにおける適切な位置に容易に割り込ませることができる。
【００１４】
本発明のジョブ割り込み用プログラムは、撮像デバイスおよび表示デバイスを備えて画像形成装置に対する印刷ジョブを送信する携帯機器によって実行されるジョブ割り込み用プログラムであって、前記画像形成装置に滞留している印刷ジョブである滞留ジョブの情報を取得する滞留ジョブ情報取得手段、前記撮像デバイスによる撮影画像に、前記滞留ジョブ情報取得手段によって取得された前記画像形成装置の前記滞留ジョブの情報を、この撮影画像上のこの画像形成装置の位置に対応付けて合成した合成画像を前記表示デバイスに表示させる表示制御手段、携帯機器自身からの印刷ジョブを前記滞留ジョブの前に割り込ませることを要求する割込要求手段、および、前記滞留ジョブの所有者への連絡を前記合成画像に対する指示に応じて実行する連絡手段として前記携帯機器を機能させることを特徴とする。
【００１５】
この構成により、本発明のジョブ割り込み用プログラムは、表示デバイスに表示されている合成画像に対する指示に応じて画像形成装置の滞留ジョブの所有者への連絡を実行するので、滞留ジョブの所有者への連絡を容易に実行することができ、結果として、利用者の印刷ジョブを滞留ジョブの前に割り込ませることの許可を滞留ジョブの所有者から取得する作業を容易化することができる。したがって、本発明のジョブ割り込み用プログラムは、利用者の印刷ジョブを画像形成装置の滞留ジョブの前に容易に割り込ませることができる。
【００１６】
本発明の携帯機器は、画像形成装置に対する印刷ジョブを送信する携帯機器であって、撮像デバイスと、表示デバイスと、前記画像形成装置に滞留している印刷ジョブである滞留ジョブの情報を取得する滞留ジョブ情報取得手段と、前記撮像デバイスによる撮影画像に、前記滞留ジョブ情報取得手段によって取得された前記画像形成装置の前記滞留ジョブの情報を、この撮影画像上のこの画像形成装置の位置に対応付けて合成した合成画像を前記表示デバイスに表示させる表示制御手段と、携帯機器自身からの印刷ジョブを前記滞留ジョブの前に割り込ませることを要求する割込要求手段と、前記滞留ジョブの所有者への連絡を前記合成画像に対する指示に応じて実行する連絡手段とを備えることを特徴とする。
【００１７】
この構成により、本発明の携帯機器は、表示デバイスに表示されている合成画像に対する指示に応じて画像形成装置の滞留ジョブの所有者への連絡を実行するので、滞留ジョブの所有者への連絡を容易に実行することができ、結果として、利用者の印刷ジョブを滞留ジョブの前に割り込ませることの許可を滞留ジョブの所有者から取得する作業を容易化することができる。したがって、本発明の携帯機器は、利用者の印刷ジョブを画像形成装置の滞留ジョブの前に容易に割り込ませることができる。
【発明の効果】
【００１８】
本発明の画像形成システム、ジョブ割り込み用プログラムおよび携帯機器は、携帯機器の利用者の印刷ジョブを画像形成装置の滞留ジョブの前に容易に割り込ませることができる。
【図面の簡単な説明】
【００１９】
【図１】本発明の第１の実施の形態に係る画像形成システムのブロック図である。
【図２】図１に示すＭＦＰのブロック図である。
【図３】図２に示すジョブリストの一例を示す図である。
【図４】図１に示す管理サーバーのブロック図である。
【図５】図４に示す利用者リストの一例を示す図である。
【図６】図４に示す装置リストの一例を示す図である。
【図７】図１に示す携帯機器のブロック図である。
【図８】ＭＦＰが印刷ジョブを受信した場合の図１に示す画像形成システムの動作のシーケンス図である。
【図９】ＭＦＰに滞留ジョブが有る場合の図１に示す画像形成システムの動作のシーケンス図である。
【図１０】図７に示す表示部に表示させられる合成画像の一例を示す図である。
【図１１】図７に示す表示部に表示させられる合成画像の一例であって、図１０に示す例とは異なる例を示す図である。
【図１２】図７に示す表示部に表示させられる合成画像の一例であって、図１０および図１１に示す例とは異なる例を示す図である。
【図１３】本発明の第２の実施の形態に係る画像形成システムのブロック図である。
【図１４】図１３に示す管理サーバーのブロック図である。
【図１５】図１３に示す携帯機器のブロック図である。
【図１６】ＭＦＰに滞留ジョブが有る場合の図１３に示す画像形成システムの動作のシーケンス図である。
【図１７】図１５に示す表示部に表示させられる合成画像の一例を示す図である。
【発明を実施するための形態】
【００２０】
以下、本発明の実施の形態について、図面を用いて説明する。
【００２１】
（第１の実施の形態）
まず、本発明の第１の実施の形態に係る画像形成システム１０の構成について説明する。
【００２２】
図１は、本実施の形態に係る画像形成システム１０のブロック図である。
【００２３】
図１に示すように、画像形成システム１０は、画像形成装置としてのＭＦＰ（Ｍｕｌｔｉｆｕｎｃｔｉｏｎ  Ｐｅｒｉｐｈｅｒａｌ）２０を含む複数のＭＦＰと、これら複数のＭＦＰを管理する例えばＰＣ（Ｐｅｒｓｏｎａｌ  Ｃｏｍｐｕｔｅｒ）などの管理サーバー３０と、ＭＦＰに対する印刷ジョブを送信する例えばスマートフォンなどの携帯機器４０とを備えている。画像形成システム１０のＭＦＰと、管理サーバー３０と、携帯機器４０とは、ＬＡＮ（Ｌｏｃａｌ  Ａｒｅａ  Ｎｅｔｗｏｒｋ）、インターネットなどのネットワーク１１を介して互いに通信可能に接続されている。
【００２４】
なお、画像形成システム１０のＭＦＰが設置されている建物の内部には、現実空間での位置を示す信号を赤外線によって発信する図示していない赤外線発信機が多数設置されている。
【００２５】
画像形成システム１０の複数のＭＦＰのそれぞれの構成は、ＭＦＰ２０の構成と同様である。したがって、以下においては、画像形成システム１０の複数のＭＦＰを代表してＭＦＰ２０について説明する。
【００２６】
図２は、ＭＦＰ２０のブロック図である。
【００２７】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、ＭＦＰ２０の現実空間での現在の位置を検出するために建物内に設置されている赤外線発信機から赤外線によって発信された信号を受信する赤外線受信機などの位置検出デバイスである位置検出部２７と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶装置である記憶部２８と、ＭＦＰ２０全体を制御する制御部２９とを備えている。
【００２８】
操作部２１は、表示部２２とともにタッチパネルを形成する入力デバイスを含んでいても良い。
【００２９】
記憶部２８は、順番を付けて印刷ジョブを登録するジョブリスト２８ａを記憶している。
【００３０】
図３は、ジョブリスト２８ａの一例を示す図である。
【００３１】
図３に示すように、ジョブリスト２８ａには、画像形成システム１０の利用者からの指示に応じて印刷ジョブをＭＦＰに送信したＰＣなどの電子機器のＩＰアドレスと、この印刷ジョブの名称を示すジョブ名とが互いに関連付けられて登録されている。
【００３２】
図２に示す制御部２９は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２８に記憶されているプログラムを実行するようになっている。
【００３３】
制御部２９は、操作部２１に特定の操作が入力されたとき、ネットワーク通信部２６を介して管理サーバー３０（図１参照。）から要求されたとき、または、定期的に、位置検出部２７によって現在の位置を検出して、ネットワーク通信部２６を介して管理サーバー３０に送信するようになっている。
【００３４】
図４は、管理サーバー３０のブロック図である。
【００３５】
図４に示すように、管理サーバー３０は、種々の操作が入力されるマウスやキーボードなどの入力デバイスである操作部３１と、種々の情報を表示するＬＣＤなどの表示デバイスである表示部３２と、ネットワーク１１（図１参照。）経由で外部の装置と通信を行うネットワーク通信デバイスであるネットワーク通信部３３と、プログラムおよび各種のデータを記憶しているＨＤＤなどの不揮発性の記憶装置である記憶部３４と、管理サーバー３０全体を制御する制御部３５とを備えている。
【００３６】
記憶部３４は、画像形成システム１０の利用者が登録される利用者リスト３４ａを記憶することが可能である。
【００３７】
図５は、利用者リスト３４ａの一例を示す図である。
【００３８】
図５に示すように、利用者リスト３４ａには、画像形成システム１０の利用者の名称を示す利用者名と、この利用者が使用しているＰＣなどの電子機器のＩＰアドレスと、この利用者のＳＮＳ（Ｓｏｃｉａｌ  Ｎｅｔｗｏｒｋｉｎｇ  Ｓｅｒｖｉｃｅ）アカウントとが互いに関連付けられて登録されている。
【００３９】
図４に示すように、記憶部３４は、画像形成システム１０のＭＦＰが登録される装置リスト３４ｂを記憶することが可能である。
【００４０】
図６は、装置リスト３４ｂの一例を示す図である。
【００４１】
図６に示すように、装置リスト３４ｂは、画像形成システム１０のＭＦＰの名称を示す装置名と、このＭＦＰの現実空間での位置とが互いに関連付けられて登録されている。装置リスト３４ｂにおける位置の情報は、上述したように、ＭＦＰから送信されてきた情報である。
【００４２】
図４に示すように、記憶部３４は、ジョブリスト２８ａ（図２参照。）と同一のジョブリスト３４ｃをＭＦＰ毎に記憶することが可能である。ジョブリスト３４ｃは、ＭＦＰの装置名によって区別されている。
【００４３】
制御部３５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部３４に記憶されているプログラムを実行するようになっている。
【００４４】
制御部３５は、ＭＦＰから送信されてきた位置の情報をネットワーク通信部３３を介して受信して、装置リスト３４ｂに記憶させるようになっている。
【００４５】
図７は、携帯機器４０のブロック図である。
【００４６】
図７に示すように、携帯機器４０は、種々の操作が入力されるボタンなどの入力デバイスである操作部４１と、種々の情報を表示するＬＣＤなどの表示デバイスである表示部４２と、静止画または動画を撮影する撮像デバイスである撮像部４３と、携帯機器４０の現実空間での現在の位置を検出するために建物内に設置されている赤外線発信機から赤外線によって発信された信号を受信する赤外線受信機などの位置検出デバイスである位置検出部４４と、携帯機器４０の現実空間での現在の方向を検出する加速度センサーなどの方向検出デバイスである方向検出部４５と、ネットワーク１１（図１参照。）経由で外部の装置と通信を行うネットワーク通信デバイスであるネットワーク通信部４６と、プログラムおよび各種のデータを記憶しているＨＤＤなどの不揮発性の記憶装置である記憶部４７と、携帯機器４０全体を制御する制御部４８とを備えている。
【００４７】
操作部４１は、表示部４２とともにタッチパネルを形成する入力デバイスを含んでいても良い。
【００４８】
記憶部４７は、制御部４８によって実行されるジョブ割り込み用プログラム４７ａを記憶している。
【００４９】
制御部４８は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部４７に記憶されているプログラムを実行するようになっている。
【００５０】
制御部４８は、記憶部４７に記憶されているジョブ割り込み用プログラム４７ａを実行することによって、ＭＦＰに滞留している印刷ジョブである滞留ジョブの情報を取得する滞留ジョブ情報取得手段４８ａとして機能する。
【００５１】
制御部４８は、記憶部４７に記憶されているジョブ割り込み用プログラム４７ａを実行することによって、撮像部４３による撮影画像に、滞留ジョブ情報取得手段４８ａによって取得されたＭＦＰの滞留ジョブの情報を、このＭＦＰの現実空間での位置と、携帯機器４０自身の現実空間での位置との関係に対応したこの撮影画像上のこのＭＦＰの位置に対応付けて合成した合成画像を表示部４２に表示させる表示制御手段４８ｂとして機能する。
【００５２】
制御部４８は、記憶部４７に記憶されているジョブ割り込み用プログラム４７ａを実行することによって、合成画像に対する指示に応じて携帯機器４０自身からの印刷ジョブを滞留ジョブの前に割り込ませることを要求する割込要求手段４８ｃ、および、合成画像に対する指示に応じて滞留ジョブの所有者への連絡を実行する連絡手段４８ｄとして機能する。
【００５３】
次に、画像形成システム１０の動作について説明する。
【００５４】
まず、ＭＦＰ２０が印刷ジョブを受信した場合の画像形成システム１０の動作について説明する。
【００５５】
画像形成システム１０の利用者が使用しているＰＣなどの電子機器は、この利用者の指示に応じて、印刷ジョブと、この電子機器自身のＩＰアドレスとを関連付けてＭＦＰ２０に送信する。
【００５６】
ＭＦＰ２０の制御部２９は、電子機器から送信されてきた印刷ジョブおよびＩＰアドレスをネットワーク通信部２６を介して受信すると、図８に示す動作を実行する。
【００５７】
図８は、ＭＦＰ２０が印刷ジョブを受信した場合の画像形成システム１０の動作のシーケンス図である。
【００５８】
図８に示すように、ＭＦＰ２０の制御部２９は、ネットワーク通信部２６を介して受信した印刷ジョブのジョブ名と、この印刷ジョブとともに受信したＩＰアドレスとを互いに関連付けて記憶部２８上のジョブリスト２８ａに登録する（Ｓ１０１）。なお、制御部２９は、この印刷ジョブに割り込みの指定が無い場合には、この印刷ジョブのジョブ名を、この印刷ジョブとともに受信したＩＰアドレスとともにジョブリスト２８ａの最後に登録する。
【００５９】
制御部２９は、Ｓ１０１の処理の後、Ｓ１０１において登録した印刷ジョブのジョブ名およびＩＰアドレスを互いに関連付けてネットワーク通信部２６を介して管理サーバー３０に送信することによって、ジョブリスト３４ｃの更新を管理サーバー３０に依頼する（Ｓ１０２）。
【００６０】
したがって、管理サーバー３０の制御部３５は、ネットワーク通信部３３を介してＭＦＰ２０から受信した印刷ジョブのジョブ名およびＩＰアドレスを互いに関連付けて記憶部３４上のジョブリスト３４ｃに登録することによって、ジョブリスト３４ｃを更新する（Ｓ１０３）。ここで、制御部３５は、ジョブリスト３４ｃがジョブリスト２８ａに一致するように、ＭＦＰ２０から受信した印刷ジョブをジョブリスト３４ｃに登録する。
【００６１】
なお、ＭＦＰ２０の制御部２９は、記憶部２８に登録されている印刷ジョブをジョブリスト２８ａの先頭から順番に実行し、実行した印刷ジョブをジョブリスト２８ａから削除する。そして、制御部２９は、印刷ジョブの実行の状況をネットワーク通信部２６を介して管理サーバー３０に送信する。管理サーバー３０の制御部３５は、ネットワーク通信部３３を介してＭＦＰ２０から受信した印刷ジョブの実行の状況に基づいて、ジョブリスト３４ｃから印刷ジョブを削除する。すなわち、制御部３５は、ＭＦＰ２０のジョブリスト２８ａの変更に合わせてジョブリスト３４ｃを変更することによって、ジョブリスト３４ｃをジョブリスト２８ａと一致させる。
【００６２】
次に、携帯機器４０からの印刷ジョブをＭＦＰ２０の滞留ジョブの前に割り込ませる場合の画像形成システム１０の動作について説明する。
【００６３】
図９は、ＭＦＰ２０に滞留ジョブが有る場合の画像形成システム１０の動作のシーケンス図である。
【００６４】
図９に示すように、携帯機器４０の利用者がＭＦＰ２０を撮像部４３によって撮影すると、携帯機器４０の制御部４８は、位置検出部４４によって検出された携帯機器４０の現実空間での現在の位置と、方向検出部４５によって検出された携帯機器４０の現実空間での現在の方向とをネットワーク通信部４６を介して管理サーバー３０に送信する（Ｓ１３１）。
【００６５】
管理サーバー３０の制御部３５は、Ｓ１３１において送信されてきた情報を受信すると、撮像部４３による撮影の角度範囲と、携帯機器４０からの予め定められている距離の範囲とに含まれているＭＦＰの装置名を装置リスト３４ｂに基づいて特定し、特定した装置名を返信する（Ｓ１３２）。
【００６６】
携帯機器４０の表示制御手段４８ｂは、Ｓ１３２において取得したＭＦＰの装置名を、撮像部４３による撮影画像に、このＭＦＰの現実空間での位置と、携帯機器４０の現実空間での位置との関係に対応した撮影画像上のこのＭＦＰの位置に対応付けて合成した図１０に示すような合成画像５０を生成し、この合成画像５０を表示部４２に表示させる（Ｓ１３３）。すなわち、表示制御手段４８ｂは、ＭＦＰの装置名をＡＲ技術によって表示部４２に表示させる。
【００６７】
図１０は、Ｓ１３３において表示部４２に表示させられる合成画像５０の一例を示す図である。
【００６８】
図１０に示すように、合成画像５０は、撮影画像５１に、付加情報５２を付した画像である。付加情報５２には、ＭＦＰの装置名５２ａと、対応するＭＦＰの滞留ジョブの情報を取得するためのボタン５２ｂとが含まれている。
【００６９】
図９に示すように、携帯機器４０の利用者が操作部４１を介してボタン５２ｂを押すと、携帯機器４０の滞留ジョブ情報取得手段４８ａは、押されたボタン５２ｂに対応する装置名をネットワーク通信部４６を介して管理サーバー３０に送信することによって、この装置名に対応するＭＦＰの滞留ジョブの情報を要求する（Ｓ１３４）。
【００７０】
管理サーバー３０の制御部３５は、Ｓ１３４において送信されてきた装置名を受信すると、この装置名に対応するジョブリスト３４ｃに基づいて、この装置名に対応するＭＦＰの滞留ジョブのジョブ名と、この滞留ジョブのジョブリスト３４ｃにおける順番とを特定する。また、制御部３５は、この装置名に対応するジョブリスト３４ｃにおける各滞留ジョブに関連付けられているＩＰアドレスと、利用者リスト３４ａとに基づいて、滞留ジョブの所有者の利用者名およびＳＮＳアカウントを特定する。そして、制御部３５は、特定したこれらの情報、すなわち、滞留ジョブのジョブ名、この滞留ジョブのジョブリスト３４ｃにおける順番、この滞留ジョブの所有者の利用者名、および、この所有者のＳＮＳアカウントを返信する（Ｓ１３５）。
【００７１】
携帯機器４０の表示制御手段４８ｂは、Ｓ１３５において取得したＭＦＰの滞留ジョブの情報を、撮像部４３による撮影画像に、このＭＦＰの現実空間での位置と、携帯機器４０の現実空間での位置との関係に対応した撮影画像上のこのＭＦＰの位置に対応付けて合成した図１１に示すような合成画像６０を生成し、この合成画像６０を表示部４２に表示させる（Ｓ１３６）。すなわち、表示制御手段４８ｂは、ＭＦＰの滞留ジョブの情報をＡＲ技術によって表示部４２に表示させる。
【００７２】
図１１は、Ｓ１３６において表示部４２に表示させられる合成画像６０の一例を示す図である。
【００７３】
図１１に示すように、合成画像６０は、撮影画像６１に、付加情報６２を付した画像である。付加情報６２には、滞留ジョブを示すアイコン６２ａと、付加情報６２において新規の印刷ジョブが配置される予定の位置を示すアイコン６２ｂとが含まれている。なお、図１１において、「JOB from A」は、利用者名が「A」である利用者によって所有されている滞留ジョブであることを示している。表示制御手段４８ｂは、滞留ジョブの印刷の開始から印刷の終了までに必要であると予想される時間の長さに比例して、アイコン６２ａの大きさを変化させると、滞留ジョブの印刷の開始から印刷の終了までに必要であると予想される時間の長さを携帯機器４０の利用者に直感的に認識させることができるので、好ましい。
【００７４】
図９に示すように、携帯機器４０の連絡手段４８ｄは、利用者によって操作部４１を介してアイコン６２ａが押されることによって図１２に示す画像７０を表示部４２に表示させる。そして、連絡手段４８ｄは、画像７０におけるボタン７１が利用者によって操作部４１を介して押された場合、画像７０を表示させるために押されたアイコン６２ａに対応する滞留ジョブの所有者のＳ１３５で取得したＳＮＳアカウント宛てにネットワーク通信部４６を介して連絡を実行する（Ｓ１３７）。
【００７５】
滞留ジョブの所有者は、Ｓ１３７における連絡を通信機器を介して受信し、携帯機器４０からの印刷ジョブを滞留ジョブの前に割り込ませることを許可するか否かを応答する（Ｓ１３８）。
【００７６】
そして、携帯機器４０の利用者は、Ｓ１３７における連絡によって滞留ジョブの所有者と交渉することによって、この滞留ジョブの前に印刷を割り込むことがこの所有者からのＳ１３８における応答によって許可された場合に、図１２に示す画像７０におけるボタン７２を操作部４１を介して押すことができる。
【００７７】
携帯機器４０の割込要求手段４８ｃは、利用者によって操作部４１を介してボタン７２が押された場合、画像７０を表示させるために押されたアイコン６２ａに対応する滞留ジョブの前に携帯機器４０自身からの印刷ジョブを割り込ませることを、ネットワーク通信部４６を介して管理サーバー３０に要求する（Ｓ１３９）。
【００７８】
管理サーバー３０の制御部３５は、Ｓ１３９において要求された割り込みをネットワーク通信部３３を介してＭＦＰ２０に要求する（Ｓ１４０）。したがって、ＭＦＰ２０の制御部２９は、管理サーバー３０から要求された通りの割り込みを実現するようにジョブリスト２８ａを変更する。そして、管理サーバー３０の制御部３５は、ジョブリスト２８ａと一致するようにジョブリスト３４ｃを変更する。
【００７９】
以上に説明したように、画像形成システム１０は、携帯機器４０の表示部４２に表示されている合成画像に対する指示に応じてＭＦＰの滞留ジョブの所有者への連絡を実行する（Ｓ１３７）ので、滞留ジョブの所有者への連絡を容易に実行することができ、結果として、携帯機器４０の利用者の印刷ジョブを滞留ジョブの前に割り込ませることの許可を滞留ジョブの所有者から取得する作業を容易化することができる。したがって、画像形成システム１０は、携帯機器４０の利用者の印刷ジョブをＭＦＰの滞留ジョブの前に容易に割り込ませることができる。
【００８０】
なお、画像形成システム１０は、ＭＦＰの現実空間での位置と、携帯機器４０の現実空間での位置とに基づいて対象のＭＦＰを判断するようになっているが、他の方法によって対象のＭＦＰを判断するようになっていても良い。例えば、画像形成システム１０は、撮影画像を解析してＭＦＰの特徴点を抽出することによって、対象のＭＦＰを判断することもできる。
【００８１】
（第２の実施の形態）
まず、本発明の第２の実施の形態に係る画像形成システム２１０の構成について説明する。
【００８２】
なお、画像形成システム２１０の構成のうち、本発明の第１の実施の形態に係る画像形成システム１０（図１参照。）の構成と同様の構成については、画像形成システム１０の構成と同一の符号を付して詳細な説明を省略する。
【００８３】
図１３は、本実施の形態に係る画像形成システム２１０のブロック図である。
【００８４】
図１３に示すように、画像形成システム２１０の構成は、画像形成システム１０（図１参照。）が管理サーバー３０（図１参照。）および携帯機器４０（図１参照。）に代えて管理サーバー２３０および携帯機器２４０を備えた構成と同様である。
【００８５】
図１４は、管理サーバー２３０のブロック図である。
【００８６】
図１４に示すように、管理サーバー２３０の構成は、記憶部３４がサーバー用プログラム２３４ａを記憶していること、および、制御部３５が連絡手段２３５ａおよび割込自動要求手段２３５ｂとして機能することを除いて、管理サーバー３０（図４参照。）の構成と同様である。
【００８７】
制御部３５は、記憶部３４に記憶されているサーバー用プログラム２３４ａを実行することによって、合成画像に対する指示に応じて滞留ジョブの所有者への連絡を実行する連絡手段２３５ａ、および、携帯機器２４０からの印刷ジョブを滞留ジョブの前に割り込ませることの許可が連絡手段２３５ａによって受信された場合に、この印刷ジョブをこの滞留ジョブの前に割り込ませることをＭＦＰに自動で要求する割込自動要求手段２３５ｂとして機能する。
【００８８】
図１５は、携帯機器２４０のブロック図である。
【００８９】
図１５に示すように、携帯機器２４０の構成は、携帯機器４０（図７参照。）が連絡手段４８ｄ（図７参照。）を備えていない構成と同様である。
【００９０】
次に、画像形成システム２１０の動作について説明する。
【００９１】
ＭＦＰ２０が印刷ジョブを受信した場合の画像形成システム２１０の動作については、第１の実施の形態に係る画像形成システム１０（図１参照。）の動作と同様であるので、説明を省略する。
【００９２】
携帯機器２４０からの印刷ジョブをＭＦＰ２０の滞留ジョブの前に割り込ませる場合の画像形成システム２１０の動作について説明する。
【００９３】
図１６は、ＭＦＰ２０に滞留ジョブが有る場合の画像形成システム２１０の動作のシーケンス図である。
【００９４】
図１６に示す画像形成システム２１０の動作は、Ｓ１３４の動作までは図９に示す動作と同様である。
【００９５】
図１６に示す画像形成システム２１０の動作は、図９に示す動作のＳ１３５の処理に代えて次のＳ３３１の処理を実行する。
【００９６】
管理サーバー２３０の制御部３５は、Ｓ１３４において送信されてきた装置名を受信すると、この装置名に対応するジョブリスト３４ｃに基づいて、この装置名に対応するＭＦＰの滞留ジョブのジョブ名と、この滞留ジョブのジョブリスト３４ｃにおける順番とを特定する。そして、制御部３５は、特定したこれらの情報、すなわち、滞留ジョブのジョブ名と、この滞留ジョブのジョブリスト３４ｃにおける順番とを返信する（Ｓ３３１）。
【００９７】
図１６に示す画像形成システム２１０の動作は、Ｓ３３１の処理の後、図９に示す動作と同様にＳ１３６の処理を実行する。
【００９８】
図１７は、Ｓ１３６において表示部４２に表示させられる合成画像２６０の一例を示す図である。
【００９９】
図１７に示すように、合成画像２６０は、撮影画像２６１に、付加情報２６２を付した画像である。付加情報２６２には、滞留ジョブを示すアイコン２６２ａ、２６２ｂ、２６２ｃと、付加情報２６２において新規の印刷ジョブが配置される予定の位置を示すアイコン２６２ｄとが含まれている。アイコン２６２ａ、２６２ｂ、２６２ｃによって示されている滞留ジョブは、この順番で実行される予定の印刷ジョブである。表示制御手段４８ｂは、滞留ジョブの印刷の開始から印刷の終了までに必要であると予想される時間の長さに比例して、アイコン２６２ａ、２６２ｂ、２６２ｃの大きさを変化させると、滞留ジョブの印刷の開始から印刷の終了までに必要であると予想される時間の長さを携帯機器２４０の利用者に直感的に認識させることができるので、好ましい。
【０１００】
図１６に示すように、携帯機器２４０の割込要求手段４８ｃは、利用者によって操作部４１を介してアイコン２６２ａ、２６２ｂ、２６２ｃの何れかが押されることによって、押されたアイコンに対応する滞留ジョブの前に携帯機器２４０自身からの印刷ジョブを割り込ませることを、ネットワーク通信部４６を介して管理サーバー２３０に要求する（Ｓ３３２）。このとき、割込要求手段４８ｃは、押されたアイコンに対応する滞留ジョブのジョブ名を管理サーバー２３０に送信する。
【０１０１】
管理サーバー２３０の連絡手段２３５ａは、Ｓ３３２における要求を受けると、Ｓ１３４において携帯機器２４０から送信されてきた装置名に対応するジョブリスト３４ｃにおいて、Ｓ３３２において携帯機器２４０から送信されてきた滞留ジョブのジョブ名に対応するＩＰアドレスと、この滞留ジョブのより順番が後の滞留ジョブのＩＰアドレスとを特定した後、これらのＩＰアドレスと、利用者リスト３４ａとに基づいて、これらの滞留ジョブのそれぞれの所有者のＳＮＳアカウントを特定する。そして、連絡手段２３５ａは、特定したＳＮＳアカウント宛てにネットワーク通信部３３を介して連絡を実行する（Ｓ３３３）。
【０１０２】
例えば、連絡手段２３５ａは、図１７に示す合成画像２６０が表示部４２に表示されている場合に、操作部４１を介してアイコン２６２ａが押されたとき、Ｓ３３２において指定されている滞留ジョブ「JOB from A」と、この滞留ジョブより順番が後の滞留ジョブ「JOB from B」および滞留ジョブ「JOB from C」とのそれぞれの所有者のＳＮＳアカウント宛てにＳ３３３における連絡を実行する。また、連絡手段２３５ａは、操作部４１を介してアイコン２６２ｂが押されたとき、Ｓ３３２において指定されている滞留ジョブ「JOB from B」と、この滞留ジョブより順番が後の滞留ジョブ「JOB from C」とのそれぞれの所有者のＳＮＳアカウント宛てにＳ３３３における連絡を実行する。また、連絡手段２３５ａは、操作部４１を介してアイコン２６２ｃが押されたとき、Ｓ３３２において指定されている滞留ジョブ「JOB from C」の所有者のＳＮＳアカウント宛てのみにＳ３３３における連絡を実行する。
【０１０３】
なお、連絡手段２３５ａによって実行される連絡は、携帯機器２４０からの印刷ジョブを滞留ジョブの前に割り込ませることを許可するか否かの質問である。
【０１０４】
滞留ジョブの所有者は、Ｓ３３３における連絡をそれぞれが使用している通信機器を介して受信し、携帯機器２４０からの印刷ジョブを滞留ジョブの前に割り込ませることを許可するか否かを応答する（Ｓ３３４）。
【０１０５】
管理サーバー２３０の割込自動要求手段２３５ｂは、携帯機器２４０からの印刷ジョブを滞留ジョブの前に割り込ませることの許可が連絡手段２３５ａによって受信された場合に、この印刷ジョブをこの滞留ジョブの前に割り込ませることをＭＦＰ２０に自動で要求する（Ｓ３３５）。したがって、ＭＦＰ２０の制御部２９は、管理サーバー２３０から要求された通りの割り込みを実現するようにジョブリスト２８ａを変更する。そして、管理サーバー２３０の制御部３５は、ジョブリスト２８ａと一致するようにジョブリスト３４ｃを変更する。
【０１０６】
なお、割込自動要求手段２３５ｂは、携帯機器２４０からの印刷ジョブを滞留ジョブの前に割り込ませることの許可がＭＦＰ２０の複数の滞留ジョブに対して連絡手段２３５ａによって受信された場合に、この複数の滞留ジョブのうち何れかの滞留ジョブの後に、この印刷ジョブを前に割り込ませることの許可が受信されていない滞留ジョブが存在するとき、ＭＦＰ２０の全ての滞留ジョブのうち、この印刷ジョブを前に割り込ませることの許可が連絡手段２３５ａによって受信されていない最後の滞留ジョブの後に、この印刷ジョブを割り込ませることを要求する。例えば、割込自動要求手段２３５ｂは、携帯機器２４０からの印刷ジョブを滞留ジョブの前に割り込ませることの許可が滞留ジョブ「JOB from A」および滞留ジョブ「JOB from C」に対して連絡手段２３５ａによって受信された場合に、ＭＦＰ２０の全ての滞留ジョブのうち、この印刷ジョブを前に割り込ませることの許可が連絡手段２３５ａによって受信されていない最後の滞留ジョブ「JOB from B」の後に、この印刷ジョブを割り込ませることを要求する。
【０１０７】
以上に説明したように、画像形成システム２１０は、携帯機器２４０の表示部４２に表示されている合成画像に対する指示に応じてＭＦＰの滞留ジョブの所有者への連絡を実行する（Ｓ３３３）ので、滞留ジョブの所有者への連絡を容易に実行することができ、結果として、携帯機器２４０の利用者の印刷ジョブを滞留ジョブの前に割り込ませることの許可を滞留ジョブの所有者から取得する作業を容易化することができる。したがって、画像形成システム２１０は、携帯機器２４０の利用者の印刷ジョブをＭＦＰの滞留ジョブの前に容易に割り込ませることができる。
【０１０８】
画像形成システム２１０は、携帯機器２４０の利用者の印刷ジョブをＭＦＰの滞留ジョブの前に割り込ませることの許可が受信された場合に、この印刷ジョブをこの滞留ジョブの前に自動的に割り込ませる（Ｓ３３５）ので、携帯機器２４０の利用者の印刷ジョブをＭＦＰの滞留ジョブの前に容易に割り込ませることができる。
【０１０９】
画像形成システム２１０は、携帯機器２４０の利用者の印刷ジョブをＭＦＰの滞留ジョブの前に割り込ませることの許可がＭＦＰの複数の滞留ジョブに対して受信された場合に、この複数の滞留ジョブのうち何れかの滞留ジョブの後に、この印刷ジョブを前に割り込ませることの許可が受信されていない滞留ジョブが存在するとき、ＭＦＰの全ての滞留ジョブのうち、この印刷ジョブを前に割り込ませることの許可が受信されていない最後の滞留ジョブの後に、この印刷ジョブを割り込ませるので、携帯機器２４０の利用者の印刷ジョブをＭＦＰの複数の滞留ジョブにおける適切な位置に容易に割り込ませることができる。
【０１１０】
なお、画像形成システムは、上述の各実施の形態において管理サーバーを備えているが、ＭＦＰ自身が管理サーバーとして機能しても良い。
【０１１１】
また、画像形成システムは、上述の各実施の形態において本発明の画像形成装置としてＭＦＰを備えているが、プリンター専用機、コピー専用機、ＦＡＸ専用機など、ＭＦＰ以外の画像形成装置を本発明の画像形成装置として備えていても良い。
【０１１２】
また、画像形成システムは、滞留ジョブの所有者との通信手段としてＳＮＳを利用しているが、滞留ジョブの所有者から比較的早期に回答が得られると期待することができる通信手段であれば、ＳＮＳ以外の通信手段を利用するようになっていても良い。例えば、画像形成システムは、滞留ジョブの所有者との通信手段として、電子メール、インターネット電話などが採用されることが可能である。
【符号の説明】
【０１１３】
１０  画像形成システム
２０  ＭＦＰ（画像形成装置）
４０  携帯機器
４２  表示部（表示デバイス）
４３  撮像部（撮像デバイス）
４７ａ  ジョブ割り込み用プログラム
４８ａ  滞留ジョブ情報取得手段
４８ｂ  表示制御手段
４８ｃ  割込要求手段
４８ｄ  連絡手段
６０  合成画像
６１  撮影画像
６２ａ  アイコン（滞留ジョブの情報）
２１０  画像形成システム
２３５ａ  連絡手段
２３５ｂ  割込自動要求手段
２４０  携帯機器
２６０  合成画像
２６１  撮影画像
２６２ａ、２６２ｂ、２６２ｃ  アイコン（滞留ジョブの情報）
【図１】
2014215951.tif 000003
【図２】
2014215951.tif 000004
【図３】
2014215951.tif 000005
【図４】
2014215951.tif 000006
【図５】
2014215951.tif 000007
【図６】
2014215951.tif 000008
【図７】
2014215951.tif 000009
【図８】
2014215951.tif 000010
【図９】
2014215951.tif 000011
【図１０】
2014215951.tif 000012
【図１１】
2014215951.tif 000013
【図１２】
2014215951.tif 000014
【図１３】
2014215951.tif 000015
【図１４】
2014215951.tif 000016
【図１５】
2014215951.tif 000017
【図１６】
2014215951.tif 000018
【図１７】
2014215951.tif 000019